(57)【要約】【課題】防災受信機の操作に不慣れな作業者であっても、簡単かつ迅速に作動中の端末機器の復旧操作を行うことができるようにする。【解決手段】防災受信機１０は、発報信号に連動して所定の機構を作動させる連動機器や火災感知器等の端末機器と通信接続され、発報信号を受信した場合に正常監視状態から火災警報状態に遷移して火災警報を行い、作動中の端末機器の状態及び火災が発生したか否かを確認させるガイダンスを表示部３０に表示する防災受信機１０において、作動中の端末機器３及び自機を、所定の順序に従って復旧させるためのかんたん復旧スイッチＳ４を設け、火災警報状態時にかんたん復旧スイッチＳ４が操作された場合に、自動復旧端末に復旧信号を送信して復旧させるとともに、作動していた全ての端末機器３から正常信号を受信して作動中の端末機器３が無くなったときに自機の状態を正常監視状態にリセットする。【選択図】図１
2006155291.tif 000002
【特許請求の範囲】
【請求項１】
発報信号に連動して所定の機構を作動させる連動機器や火災感知器等の端末機器と通信接続され、発報信号を受信した場合に正常監視状態から火災警報状態に遷移して火災警報を行い、前記端末機器のうち作動中の端末機器の状態及び火災が発生したか否かを確認させるガイダンスを表示部に表示する防災受信機において、
作動中の端末機器のうちの所定の端末機器及び自機を一括的に復旧させるための第１の復旧スイッチと、
試験作動による作動中の端末機器を復旧させるための第２の復旧スイッチと、
作動中の端末機器及び自機を、所定の順序に従って復旧させるための第３の復旧スイッチと、
火災警報状態時に前記第１の復旧スイッチが操作された場合に、前記所定の端末機器への復旧信号の送信及び自機の正常監視状態へのリセット制御を行う第１の復旧制御手段と、
前記第２の復旧スイッチが操作された場合に、試験作動による作動中の端末機器に復旧信号を送信して復旧させる制御を行う第２の復旧制御手段と、
火災警報状態時に前記第３の復旧スイッチが操作された場合に、作動中の端末機器のうち、現場での復旧作業を要せず遠隔での復旧が可能として予め設定された端末機器に復旧信号を送信して復旧させるとともに、現場での復旧作業を要する端末機器を含む作動していた全ての端末機器から正常信号を受信して作動中の端末機器が無くなったときに、自機の状態を正常監視状態にリセットさせる制御を行う第３の復旧制御手段と、
を備えることを特徴とする防災受信機。
【請求項２】
前記表示部は、タッチパネル方式の表示部であり、
前記第１〜第３の復旧スイッチの少なくともいずれか一つを前記表示部に表示する復旧スイッチ表示制御手段を更に備えることを特徴とする請求項１記載の防災受信機。
【請求項３】
前記端末機器には、復旧信号による遠隔での復旧が可能な遠隔復旧可能機器と、遠隔での復旧が不可能な遠隔復旧不可能機器とが有り、
前記第３のスイッチが操作された場合、作業者の操作に応じて、作動中の遠隔復旧不可能機器を現場で復旧させるための当該機器の操作図を前記表示部に表示する制御を行う操作手順表示制御手段を更に備えることを特徴とする請求項１又は２に記載の防災受信機。
【請求項４】
前記端末機器には、復旧信号による遠隔での復旧が可能な遠隔復旧可能機器と、遠隔での復旧が不可能な遠隔復旧不可能機器とが有り、
火災警報状態時に前記第３の復旧スイッチが操作された場合に、作動中の遠隔復旧不可能機器を前記表示部に一覧表示する制御を行う遠隔復旧不可能機器一覧表示制御手段を更に備えることを特徴とする請求項１又は２に記載の防災受信機。
【請求項５】
前記端末機器には、復旧信号による遠隔での復旧が可能な遠隔復旧可能機器と、遠隔での復旧が不可能な遠隔復旧不可能機器とが有り、
前記遠隔復旧可能機器には、前記第３の復旧制御手段による一括的な復旧制御を許容するとして予め設定された一括復旧設定機器と、前記第３の復旧制御手段による一括的な復旧制御を許容しないとして予め設定された一括復旧設定解除機器とが有り、
前記第３の復旧制御手段による復旧制御の際、作動中の一括復旧設定解除機器が存在する場合に、当該一括復旧設定解除機器を復旧させるための第４の復旧スイッチを前記表示部に表示する第４の復旧スイッチ表示制御手段と、
前記第４の復旧スイッチがタッチ操作された場合に前記一括復旧設定解除機器に復旧信号を送信して復旧させる制御を行う第４の復旧制御手段と、
を更に備えることを特徴とする請求項２に記載の防災受信機。
【請求項６】
前記第３の復旧制御手段により火災警報状態から正常監視状態にリセットされた際に、復旧完了の旨を前記表示部に表示する復旧完了表示制御手段を更に備えることを特徴とする請求項２〜５の何れか一項に記載の防災受信機。
【発明の詳細な説明】
【技術分野】
【０００１】
本発明は、火災感知器等の端末機器と通信接続され、端末機器に関する情報を表示する表示部を備えた防災受信機に関する。
【背景技術】
【０００２】
防災システムを統括する防災受信機は、感知器や発信機等の端末機器から発報信号や火災信号などを受けた場合、正常監視状態から火災警報状態に遷移し、その火災場所を表示部に表示させると共に、必要な防排煙端末機等の連動制御を行う。この構成により、作業者は受信機の表示部に表示された火災場所を認知して現場に直行し、実際に火災が発生しているか否かを確認することができる。そして、実際に火災が発生している場合には、必要な作業、例えば消防署への連絡や火災放送の実施、避難誘導等を行う。他方、火災が発生していない場合は、発報した感知器の復旧操作や、火災発生場所等の表示を行っている表示画面を消去して、防災受信機を正常監視状態に戻す。
【０００３】
ここで、防災受信機には、防災受信機の表示状態、各種連動機能をリセットすると共に、予め設定された端末機器を復旧させるため、端末機器に復旧信号を送信するための復旧スイッチが設けられている。また、防災受信機を正常監視状態に戻すためには、予め設定された以外の端末機器についても個別に復旧操作を行う必要がある。例えば、感知器の発報により防排煙端末機が作動した場合や発信機が押された場合などは、現場まで行って防排煙端末機や発信機の復旧操作を行う必要がある。
【０００４】
この端末機器の復旧操作が確実に行われていない場合に、防災受信機の正常監視状態へのリセットが行われると、作動中の端末機器から作動信号が防災受信機に送信され、リセットしたにも関わらず防災受信機の表示部に火災発生場所の表示が行われたり、防排煙端末機の作動表示などが行われることとなる。しかし、復旧操作に不慣れな作業者は、このような複雑な復旧操作手順を確実に把握することが困難であり、簡単に防災受信機を正常監視状態に戻すことができなかった。
【０００５】
そこで、例えば、図１３に示すように、非火災時の復旧操作手順を示した表示画面Ｗ２００を表示させるものが知られている。しかし、上述した表示画面Ｗ２００には、復旧操作の作業手順の概要が文字等により示されるのみであり、個々に詳細な作業手順や操作図が示されるものではなかった。このため、依然として復旧操作に不慣れな作業者は、上述した復旧操作全てを確実に行うことが難しかった。
【０００６】
そこで、非火災時に作業者から非火災を確認した旨が操作手段に入力されると、復旧操作を行うまでに必要な作業手順を示す複数の非火災ガイダンスの表示画面を切り替えて表示手段に表示させる火災報知装置が考案されている（例えば、特許文献１参照）。
【特許文献１】特開平８−９６２７１号公報
【発明の開示】
【発明が解決しようとする課題】
【０００７】
しかしながら、上述した従来の火災報知装置（例えば、特許文献１）にあっては、複数の非火災ガイダンスの表示画面を切り替えて詳細な復旧操作手順を表示するが、この作業手順は主に発報した感知器の場所や発報した原因を１つ１つ確認させることを目的とするためのものであり、復旧操作に不慣れな作業者にとっては依然として復旧操作の作業手順はわかり難いままであった。また、発報の原因を追求するために、各端末機器毎にそれぞれ確認・復旧操作を行う必要があり、復旧操作に手間及び時間を要するという問題があった。
【０００８】
本発明の課題は、防災受信機の操作に不慣れな作業者であっても、簡単かつ迅速に作動中の端末機器の復旧操作を行うことができる防災受信機を提供することである。
【課題を解決するための手段】
【０００９】
上記課題を解決するために、請求項１記載の発明は、
発報信号に連動して所定の機構を作動させる連動機器や火災感知器等の端末機器（例えば、図１（ａ）の端末機器３）と通信接続され、発報信号を受信した場合に正常監視状態から火災警報状態に遷移して火災警報を行い、前記端末機器のうち作動中の端末機器の状態及び火災が発生したか否かを確認させるガイダンスを表示部（例えば、図１（ａ）の表示部３０）に表示する防災受信機（例えば、図１（ａ）の防災受信機１０）において、
作動中の端末機器のうちの所定の端末機器及び自機を一括的に復旧させるための第１の復旧スイッチ（例えば、図１１の手動での復旧操作スイッチＳ１５）と、
試験作動による作動中の端末機器を復旧させるための第２の復旧スイッチと、
作動中の端末機器及び自機を、所定の順序に従って復旧させるための第３の復旧スイッチ（例えば、図３のかんたん復旧スイッチＳ４）と、
火災警報状態時に前記第１の復旧スイッチが操作された場合に、前記所定の端末機器への復旧信号及び自機の正常監視状態へのリセット制御を行う第１の復旧制御手段（例えば、図１（ｂ）のＣＰＵ１１）と、
前記第２の復旧スイッチが操作された場合に、試験作動による作動中の端末機器に復旧信号を送信して復旧させる制御を行う第２の復旧制御手段（例えば、図１（ｂ）のＣＰＵ１１）と、
火災警報状態時に前記第３の復旧スイッチが操作された場合に、作動中の端末機器のうち、現場での復旧作業を要せず遠隔での復旧が可能として予め設定された端末機器に復旧信号を送信して復旧させるとともに、現場での復旧作業を要する端末機器を含む作動していた全ての端末機器から正常信号を受信して作動中の端末機器が無くなったときに、自機の状態を正常監視状態にリセットさせる制御を行う第３の復旧制御手段（例えば、図１（ｂ）のＣＰＵ１１）と、
を備えることを特徴としている。
【００１０】
請求項１に記載の発明によれば、発報信号が受信され正常監視状態から火災警報状態に遷移して火災警報が行われた場合に、第３の復旧スイッチを操作して、現場での復旧作業を要せず遠隔での復旧が可能として予め設定された端末機器に復旧信号を送信して、これらの端末機器を一括して復旧させることができる。これにより、容易かつ迅速に復旧処理を行うことができる。また、現場での復旧作業を要する端末機器を含む作動していた全ての端末機器から正常信号を受信して作動中の端末機器が無くなったときに、自機の状態を正常監視状態に遷移させるため、作動中の端末機器から作動中であることを示す信号が入力されることにより、防災受信機が再度火災警報状態に遷移してしまうことを防ぐことができる。これにより、確実に防災受信機を正常監視状態にリセットして、復旧処理を完了することができる。
【００１１】
請求項２に記載の発明は、請求項１記載の防災受信機において、
前記表示部は、タッチパネル方式の表示部であり、
前記第１〜第３の復旧スイッチの少なくともいずれか一つを前記表示部に表示する復旧スイッチ表示制御手段（例えば、図１（ｂ）のＣＰＵ１１）を更に備えることを特徴としている。
【００１２】
請求項２に記載の発明によれば、タッチパネル方式の表示部に第１〜第３の復旧スイッチを表示部に表示させ、表示部上でタッチ操作可能とすることにより、操作性を向上させることができる。
【００１３】
また、請求項３に記載の発明は、請求項１又は２に記載の防災受信機において、
前記端末機器には、復旧信号による遠隔での復旧が可能な遠隔復旧可能機器（例えば、図１（ａ）の火災感知器３ａ）と、遠隔での復旧が不可能な遠隔復旧不可能機器（例えば、図１（ａ）の発信機３ｂ）とが有り、
前記第３のスイッチが操作された場合、作業者の操作に応じて、作動中の遠隔復旧不可能機器を現場で復旧させるための当該機器の操作図（例えば、図６のサブ画面１０５ｂ）を前記表示部に表示する制御を行う操作手順表示制御手段（例えば，図１（ｂ）のＣＰＵ１１）を更に備えることを特徴としている。
【００１４】
請求項３に記載の発明によれば、表示部に表示された遠隔復旧不可能機器の操作図を閲覧することにより、現場における復旧処理手順を的確に把握することができ、復旧操作に不慣れな作業者であっても、容易に遠隔復旧不可能機器の復旧処理を行うことができる。
【００１５】
請求項４に記載の発明は、請求項１又は２に記載の防災受信機において、
前記端末機器には、復旧信号による遠隔での復旧が可能な遠隔復旧可能機器と、遠隔での復旧が不可能な遠隔復旧不可能機器とが有り、
火災警報状態時に前記第３の復旧スイッチが操作された場合に、作動中の遠隔復旧不可能機器を前記表示部に一覧表示する制御を行う遠隔復旧不可能機器一覧表示制御手段（例えば、図１（ｂ）のＣＰＵ１１）を更に備えることを特徴としている。
【００１６】
請求項４に記載の発明によれば、現場における復旧操作が必要となる作動中の遠隔復旧不可能機器を容易に把握することができ、確実に復旧処理を行うことができる。
【００１７】
請求項５に記載の発明は、請求項２に記載の防災受信機において、
前記端末機器には、復旧信号による遠隔での復旧が可能な遠隔復旧可能機器と、遠隔での復旧が不可能な遠隔復旧不可能機器とが有り、
前記遠隔復旧可能機器には、前記第３の復旧制御手段による一括的な復旧制御を許容するとして予め設定された一括復旧設定機器（例えば、図１（ａ）の地区ベル３ｄ）と、前記第３の復旧制御手段による一括的な復旧制御を許容しないとして予め設定された一括復旧設定解除機器（例えば、図１（ａ）の防排煙設備機器３ｃ）とが有り、
前記第３の復旧制御手段による復旧制御の際、作動中の一括復旧設定解除機器が存在する場合に、当該一括復旧設定解除機器を復旧させるための第４の復旧スイッチ（例えば、図８の端末を元に戻すスイッチＳ１２）を前記表示部に表示する第４の復旧スイッチ表示制御手段（例えば、図１（ｂ）のＣＰＵ１１）と、
前記第４の復旧スイッチがタッチ操作された場合に前記一括復旧設定解除機器に復旧信号を送信して復旧させる制御を行う第４の復旧制御手段（例えば、図１（ｂ）のＣＰＵ１１）と、
を更に備えることを特徴としている。
【００１８】
請求項５に記載の発明によれば、第３の復旧制御手段により復旧されない作動中の遠隔復旧可能機器の存在を容易に把握することができると共に、第３の復旧手段により一括的に復旧される一括復旧設定機器と、第３の復旧手段により一括的に復旧されない一括復旧設定解除機器とを区別して、端末機器の機能や種別等に応じて選択的に復旧処理を行うことができる。
【００１９】
請求項６に記載の発明は、請求項２〜５の何れか一項に記載の防災受信機において、
前記第３の復旧制御手段により火災警報状態から正常監視状態に状態遷移された際に、復旧完了の旨を前記表示部に表示する復旧完了表示制御手段（例えば、図１（ｂ）のＣＰＵ１）を更に備えることを特徴としている。
【００２０】
請求項６に記載の発明によれば、防災受信機の表示部を閲覧することにより、端末機器の復旧完了を容易に確認することができる。
【発明の効果】
【００２１】
本発明によれば、防災受信機の操作に不慣れな作業者であっても、簡単な操作で復旧操作を行うことができると共に、復旧すべき端末機器の復旧操作を容易に把握して速やかに復旧処理を行うことができる。
【発明を実施するための最良の形態】
【００２２】
以下、図を参照して本発明の実施の形態を詳細に説明する。ただし、発明の範囲は、図示例に限定されない。
【００２３】
１．機能構成
図１（ａ）は、本実施の形態の一例としての防災受信機１０を含む防災システム１の概略構成を示すものである。防災システム１は、防災受信機１０、中継器２、２などからなるＲ型システムである。防災受信機１０には、各中継器２を介して、火災感知器３ａ、発信機３ｂ、防火戸や排煙口などの防排煙設備機器３ｃ（防排煙端末機）、地区ベル３ｄなどからなる多数の端末機器３が接続されている。中継器２，２は、接続された端末機器３から発報信号を受信すると、記憶手段（図示せず）に記憶された設定データ（端末機器のアドレス・種類・設置場所等）から対応する端末機器３のアドレスを検索し、発報信号にアドレスを付加して、防災受信機１０に送信する。また、符号４は、防災受信機１０とは離れた場所に設置される火災表示装置であって、火災発生時などに所定の情報を表示する。なお、図１（ａ）には、便宜上２つの中継器２のみを図示しているが、３つ以上の中継器２が接続されていてもよい。また、感知器中継器、発信機中継器、防排煙端末中継器として、端末機器一つに対して一つの中継器が対応して接続されることも周知である。
【００２４】
防災受信機１０は、防災システム１を統括制御し、例えば、正常監視状態において火災やガス漏れなどのイベントを監視する。また、イベントが発生した時には、火災警報状態に遷移して、表示部（図１（ｂ））３０に所定の情報を表示したり、発報信号の受信に連動して防排煙設備機器３ｃや地区ベル３ｄ等を駆動制御する。
【００２５】
具体的には、防災受信機１０は、各中継器２によりアドレスが付加された発報信号を受信すると、自機の状態を正常監視状態から火災警報状態に遷移させ、アドレスに基づいて作動した火災感知器３ａ又は発信機３ｂを検知し、火災表示装置４、表示部３０に警報画面を表示させると共に、音出力部１８から警報音を出力させる。また、防災受信機１０は、発報信号を受信すると、発報信号に連動するよう予め定められた防排煙設備機器３ｃ、地区ベル３ｄ等の端末機器３を駆動制御するため、対応する防排煙設備機器３ｃ、地区ベル３ｄ等に制御信号を出力して火災警報を行う。
【００２６】
防災受信機１０は、非火災であった場合、防災システム１を統括制御して、自機の状態を火災警報状態から正常監視状態にリセットする。例えば、防災受信機１０は、作動中の所定の端末機器３及び自機を一括的に復旧させるための復旧スイッチ（後述する「手動での復旧操作」スイッチＳ１５）を表示部３０に表示させ、当該復旧スイッチの操作に応じて、所定の端末機器３への復旧信号の送信及び自機の正常監視状態へのリセット制御を行う。
【００２７】
また、防災受信機１０は、火災警報状態時に、作動中の端末機器３及び自機を、所定の順序に従って復旧させるための復旧スイッチ（後述する「かんたん復旧」スイッチＳ４）を表示部３０に表示させ、火災警報状態時に当該復旧スイッチが操作された場合に、作動中の端末機器３のうち、現場での復旧作業を要せず遠隔での復旧が可能として予め設定された端末機器３に復旧信号を送信して復旧させると共に、現場での復旧作業を要する端末機器３を含む作動していた全ての端末機器３から正常信号（正常監視状態時に受信機が受信する信号）を受信して作動中の端末機器３がなくなったときに、自機を正常監視状態にリセットする。
【００２８】
さらに、防災受信機１０は、復旧信号による遠隔での復旧が不可能な端末機器３を現場で復旧させるための当該端末機器３の操作図を表示部３０に表示させる。また、かんたん復旧スイッチＳ４が操作された場合に、かんたん復旧スイッチＳ４による復旧制御の際、作動中の遠隔での復旧が可能な端末機器３が存在する場合に、当該端末機器３の一覧（リスト）を表示部３０に表示させるとともに当該端末機器３を復旧させるための復旧スイッチ（後述する「端末を元に戻す」スイッチＳ１２）を表示部３０に表示させ、端末を元に戻すスイッチＳ１２が操作された場合に、対応する端末機器３に復旧信号を送信して復旧させる制御を行う。
【００２９】
ここで、上述した端末機器３のうち、かんたん復旧スイッチＳ４の操作により一括的な復旧制御を許容するとして予め設定された端末機器３を自動復旧端末（一括復旧設定機器）、復旧信号による遠隔での復旧が可能であるが、かんたん復旧スイッチＳ４の操作による一括的な復旧制御を許容しないとして予め設定された端末機器３を遠隔操作端末（一括復旧設定解除機器）、復旧信号による遠隔での復旧が不可能であり、現場で復旧される端末機器３を現場復旧端末（遠隔復旧不可能機器）と呼ぶ。
【００３０】
図１（ｂ）は、防災受信機１０の要部構成を示す制御ブロック図である。防災受信機１０は、ＣＰＵ１１、ＲＡＭ１２、ＲＯＭ１３、Ｉ／Ｆ（インターフェース）１４ａ〜１４ｇがバスにより相互にデータ入出力可能に接続されている。また、Ｉ／Ｆ１４ａを介して各中継器２が接続され、Ｉ／Ｆ１４ｂを介して火災表示装置４が接続されている。さらに、Ｉ／Ｆ１４ｃ〜１４ｇを介して、表示部３０、操作部１５、表示灯１６、印字部１７、音出力部１８が接続されている。
【００３１】
ＣＰＵ１１は、ＲＯＭ１３内の制御プログラムや制御データにしたがって、ＲＡＭ１２を作業領域として用いながら、防災受信機１０における各種処理を制御する。ＲＡＭ１２は検出データや情報などを記憶する。ＲＯＭ１３は、防災受信機１０の各種処理に用いられる制御プログラムや制御データを記憶する。例えば、ＲＯＭ１３には、発報信号を受信した場合に、連動して作動させる端末機器３等を連動データとして記憶していると共に、かんたん復旧スイッチＳ４の操作による一括的な復旧制御を許容するとして予め設定された端末機器３を自動復旧端末データとして記憶している。また、ＣＰＵ１１には、一定時間を計測するためのタイマ回路１１ａが設けられている。
【００３２】
操作部１５は、連動停止や火災復旧などの各種操作を行うためのスイッチやボタン、表示部３０を覆うように設けられたタッチパネル等からなる。表示灯１６は、点灯表示されることにより火災発生等を報知するものでＬＥＤ（発光ダイオード）などからなる。印字部１７は、発報信号を受信したこと等を印字出力するものである。音出力部１８は、アラームや音声メッセージを出力することにより警報音を発するものである。
【００３３】
表示部３０は、各種機能を表示したり、表示した機能を選択するためのものである。この表示部３０は、タッチパネル方式の液晶ディスプレイ（ＬＣＤ）から構成され、各種機能及び情報を表示すると共に、所定機能を対応付けたスイッチを表示させ、当該スイッチがタッチ操作されることにより、各種機能を実行させるものである。
【００３４】
２．表示画面例
図２〜図１１を参照して、表示部３０に表示される各種表示画面について説明する。図２は、正常監視状態における初期画面Ｗ１０１の一例を示す図である。図２に示すように、初期画面Ｗ１０１には、主に機能や情報を表示する主画面１０１ａ、主画面１０１ａの右側に設けられ作業者に対するメッセージや各種スイッチ等を表示するサブ画面１０１ｂ、複数のタブボタンからなるタブ表示部１０１ｃ、現在表示されている画面のタイトル及び年月日を示すタイトル部１０１ｄが設けられている。
【００３５】
主画面１０１ａには、３つの領域に区別され、上段から「火災」、「防排煙／諸表示」、「ガス漏れ」のイベントに分類されて、当該イベントの発報に伴って作動した端末機器３に関する情報がそれぞれ表示されている。また、各領域の右側には、端末機器３に関する情報が４つ以上表示された場合に非表示されている情報を表示させるための送りボタンがそれぞれ設けられている。なお、正常監視状態の初期画面Ｗ１０１においては、イベントが発生していないため、主画面１０１ａには、情報が表示されていない。従って、送りボタンは薄い表示色で表示され、操作できない構成となっている。
【００３６】
サブ画面１０１ｂは、作業者に対するメッセージ及び各種スイッチが表示されている。具体的に、「警報メッセージを選択後、下の操作が行えます。」といったメッセージと、スイッチＳ１〜Ｓ６が表示されている。スイッチＳ１〜Ｓ６には、それぞれ「トレンドグラフ」、「対応ガイド」、「全体地図」、「かんたん復旧」、「印字停止」、「画面消去」の各機能が割り当てられ、作業者に操作されることにより対応する機能を実現する。
【００３７】
例えば、「トレンドグラフ」スイッチＳ１が操作されると、イベントを発報した端末機器３のトレンドグラフが表示される。「対応ガイド」スイッチＳ２が操作されると、イベントに対してどのような対応をすべきかガイダンスが表示される。「全体地図」スイッチＳ３が操作されると、イベントを発報した端末機器３が設置されているフロア図が表示される。
【００３８】
なお、「トレンドグラフ」スイッチＳ１、「対応ガイド」スイッチＳ２、「全体地図」スイッチＳ３は、イベントの発報が行われ、主画面１０１ａ上に表示された端末機器３に関する情報のうち一の情報が選択された場合に操作可能となるスイッチである。従って、イベントの発生していない初期画面Ｗ１０１においては、薄い表示色により表示され、操作不可能な構成となっている。
【００３９】
また、「かんたん復旧」スイッチＳ４が操作されると、後述する復旧処理が開始される。なお、「かんたん復旧」スイッチＳ４は、イベント発生後（すなわち、火災警報状態への遷移後）に操作可能となるスイッチであり、非火災であった場合に操作されるスイッチである。従って、イベントの発生していない初期画面Ｗ１０１においては、「かんたん復旧」スイッチＳ４は薄い表示色で表示され、操作できない構成となっている。更に、「印字停止」スイッチＳ５は、イベントの発生に伴って開始される印字処理を停止するためのスイッチであり、「画面消去」スイッチＳ６は、現在表示されている画面を非表示するためのスイッチである。
【００４０】
タブ表示部１０１ｃには、各種タブボタンＴ１〜Ｔ６が設けられ、タブボタンＴ１〜Ｔ６には、それぞれ「１警報」、「２異常／故障」、「３防排煙制御」、「４連動停止」、「５訓練」、「画面一覧」の画面が対応付けられている。つまり、各タブボタンを作業者が操作することにより、対応する画面が切替表示される。また、タイトル部１０１ｄには、現在表示されている画面のタイトル及び年月日として、例えば同図においては、「１００警報」及び「2000年03月26日（金）09時30分」が表示されている。
【００４１】
図３は、端末機器３から発報信号を受信した場合に表示部３０に表示される警報画面Ｗ１０２の一例を示す図である。図３に示すように、主画面１０２ａには、それぞれ「火災」、「防排煙／諸表示」、「ガス漏れ」に対応付けて各端末機器３に関する情報が表示されている。例えば、「火災」の項目には、作動中の端末機器数「１件（総数  １件）」と、イベントの発報に伴って作動された端末機器３に関する情報「001  本館01階0001番…」とが表示される。
【００４２】
「防排煙／諸表示」の項目には、作動中の端末機器数「５件（総数  ５件）」と、端末機器３に関する情報「001  本館01階0101番…」が表示されている。また、非表示されている端末機器３に関する情報を表示可能にするため、送りボタンが操作可能な表示態様で表示されている。「ガス漏れ」の項目には、端末機器３に関する情報が表示されず、ガス漏れのイベント発報に伴って作動している端末機器３がない、すなわち、ガス漏れが発生していないことを示している。
【００４３】
サブ画面１０２ｂには、スイッチＳ１〜Ｓ６が表示され、「かんたん復旧」スイッチＳ４及び「印字停止」スイッチＳ５が操作可能な表示態様にて表示されている。また、「トレンドグラフ」スイッチＳ１、「対応ガイド」スイッチＳ２、「全体地図」スイッチＳ３及び「画面消去」スイッチＳ６は薄い表示色で表示され、操作できない構成となっている。
【００４４】
ここで、主画面１０２ａにおいて、何れかの端末機器３に関する情報が選択されると、「トレンドグラフ」スイッチＳ１、「対応ガイド」スイッチＳ２、「全体地図」スイッチＳ３が操作可能な表示態様にて表示される。なお、火災やガス漏れ等のイベントが発生している場合、「画面消去」スイッチＳ６は操作無効になったままである。
【００４５】
タブ表示部１０２ｃ及びタイトル表示部１０２ｄについては、上述した初期画面Ｗ１０１と略同様の構成によってなるため、詳細な説明を省略する。
【００４６】
続いて、警報画面Ｗ１０２において、「かんたん復旧」スイッチＳ４が操作された場合の画面遷移について説明する。図４は、「かんたん復旧」スイッチＳ４が操作された場合に表示される復旧中画面Ｗ１０３の一例を示す図である。図４に示すように、復旧中画面Ｗ１０３は、主画面及びサブ画面が非表示され、画面中央に作業者に対するメッセージが表示される。具体的には、「かんたん復旧中！！」、「しばらくお待ち下さい」といったメッセージが表示されると共に、「ベル（地区音響）を停止しました。」、「受信機の音を停止しました。」、「感知器の発報を解除しました。」、「各種連動機能を停止しました。」といったメッセージが表示される。更に、復旧中画面Ｗ１０３の右下には、「操作を中止する」スイッチＳ７が設けられ、スイッチＳ７が操作されると、かんたん復旧の処理を中止して、警報画面Ｗ１０２に表示が切り替えられる。
【００４７】
ここで、防災受信機１０は、この復旧中画面Ｗ１０３を表示すると共に、発報信号を出力した火災感知器３ａ、発報信号に連動して駆動制御された地区ベル３ｃ、防災受信機１０の音出力部１８、その他連動して駆動制御された端末機器３に復旧信号を送信して、各端末機器３及び防災受信機１０自身（システム）を一括的に復旧させる。なお、処理の詳細については後述する。
【００４８】
続いて、復旧中画面Ｗ１０３が所定時間（例えば、３秒間）表示されると、現場復旧端末画面Ｗ１０４に画面遷移する。図５は、現場復旧端末画面Ｗ１０４の一例を示す図である。図５に示すように、主画面１０４ａには、作業者に対するメッセージ、対象となる現場復旧端末数及び対象となる現場復旧端末一覧を表示している。
【００４９】
具体的には、主画面１０４ａ上段に、「以下の端末は自動的に戻すことはできません。現場で元に戻して下さい。」といったメッセージ、「作動中の対象端末数  ３件（総数  ５件）」といった現場復旧端末数が表示されている。ここで、「作動中の対象端末数  ３件」とは、作動中の現場復旧端末が３件あることを示し、「総数  ５件」とは、作動中の現場復旧端末３件を含む作動中の端末機器３が５件あることを示している。すなわち、この５件には、現場復旧端末３件と、遠隔操作端末２件が含まれている。
【００５０】
また、主画面１０４ａ下段には、現場復旧端末一覧として、現場復旧端末の設置場所、現場復旧端末の種類、作動状態を含む情報が、例えば、「本館01階0111番  コンベンションルーム  発信機  作動」として表示されている。
【００５１】
サブ画面１０４ｂには、作業者に対するメッセージ及び各種スイッチが表示される。具体的には、「警報メッセージを選択後、以下のボタン操作が行えます」といったメッセージと、スイッチＳ７〜Ｓ８とが表示される。スイッチＳ７〜Ｓ８には、「端末の戻し方」、「操作を中止する」の各機能が割り当てられ、作業者に操作されることにより対応する機能を実現する。例えば、「端末の戻し方」スイッチＳ８が操作されると、主画面１０４ａにおいて選択されている現場復旧端末を現場で復旧させるための詳細な復旧手順を示した操作図をサブ画面１０４ｂに表示させる。また、「操作を中止する」スイッチＳ７が操作されると、かんたん復旧の処理を中止して、現場復旧端末画面Ｗ１０４は、警報画面Ｗ１０２に切り替えられる。
【００５２】
続いて、現場復旧端末画面Ｗ１０４において、「端末の戻し方」スイッチＳ８が操作された場合の画面遷移について説明する。図６は、現場復旧端末を現場で復旧させるための詳細な復旧手順を示した操作図を表示した復旧手順画面Ｗ１０５の一例を示す図である。図６に示すように、主画面１０５ａには、現場復旧端末画面Ｗ１０４の主画面１０４ａと略同様の情報が表示されており、一覧表示された現場復旧端末のうち「発信機」が選択された状態を示している。
【００５３】
また、サブ画面１０５ｂには、選択された「発信機」を現場で復旧させるための詳細な復旧手順を示した操作図が表示されている。具体的に、サブ画面１０５ｂには、発信機３ｂの外観図と、当該外観図に従って操作すべき手順を説明した文が表示されている。更に、サブ画面１０５ｂには、スイッチＳ１０〜Ｓ１１が表示され、スイッチＳ１０〜Ｓ１１には、「ほかの端末」、「消去」の機能がそれぞれ対応付けられている。
【００５４】
例えば、「ほかの端末」スイッチＳ１０が操作された場合、現在主画面１０５ａにおいて選択されている発信機の下段に表示されている現場復旧端末（例えば、「防火戸」）についての操作図を示す画面へと遷移する。また、「消去」スイッチＳ１１が操作された場合、サブ画面１０５ｂが非表示される。
【００５５】
続いて、主画面１０５ａにおいて他の現場復旧端末が選択され、「ほかの端末」スイッチＳ１０が操作された場合の画面遷移について説明する。図７は、他の現場復旧端末として「防火戸」が選択された場合における復旧手順表示画面Ｗ１０６の一例を示す図である。図７に示すように、主画面１０６ａには、現場復旧端末画面Ｗ１０４の主画面１０４ａと略同様の情報が表示されており、一覧表示された現場復旧端末のうち「防火戸」が選択された状態を示している。
【００５６】
サブ画面１０６ｂには、選択された現場復旧端末「防火戸」を現場で復旧させるための詳細な復旧手順を示した操作図が表示されている。具体的に、サブ画面１０６ｂには、防火戸の外観図と、当該外観図に従って操作すべき手順を説明した文が表示されている。また、サブ画面１０６ｂには、「消去」スイッチＳ１１が設けられている。なお、主画面１０６ａにおいて、一覧表示された現場復旧端末のうち最下段に表示された現場復旧端末が選択されているため、「ほかの端末」スイッチＳ１０は、非表示されている。
【００５７】
ここで、作業者による現場での復旧操作により復旧が完了した現場復旧端末から防災受信機１０に正常信号が送信された場合、防災受信機１０は、現場復旧端末画面Ｗ１０４〜Ｗ１０６に表示された現場復旧端末一覧から対応する現場復旧端末を消去する。そして、作動中の各現場復旧端末について現場で復旧操作が行われ、全ての現場復旧端末から正常信号を受信した場合、防災受信機１０は、現場復旧端末画面Ｗ１０４〜Ｗ１０６から、遠隔操作端末表示画面Ｗ１０７へ画面遷移させる。
【００５８】
図８は、遠隔操作端末表示画面Ｗ１０７の一例を示す図である。図８に示すように、主画面１０７ａには、作業者に対するメッセージ、対象となる遠隔操作端末数及び対象となる遠隔操作端末一覧が表示されている。具体的には、主画面１０７ａの上段に、「以下の端末は受信機から遠隔で元に戻すことができます。」といったメッセージ、「作業中の対象端末数  ２件」といった遠隔操作端末数が表示されている。
【００５９】
また、主画面１０７ａの下段には、遠隔操作端末一覧として、遠隔操作端末の設置場所、遠隔操作端末の種類、作動状態を含む情報が、例えば、「本館01階0101番  コンベンションルーム  排煙口  作動」として表示されている。
【００６０】
サブ画面１０７ｂには、作業者に対するメッセージ及び各種スイッチが表示される。具体的に、「「端末に戻す」ボタンで、端末を元に戻します。」といったメッセージと、スイッチＳ７，Ｓ１２とが表示される。スイッチＳ７には、「操作を中止する」の機能が割り当てられ、スイッチＳ１２には、「端末を元に戻す」の機能が割り当てられている。具体的には、「端末を元に戻す」スイッチＳ１２が操作されると、主画面１０７ａにおいて選択されている２つの遠隔操作端末「排煙口」に復旧信号を送信して、遠隔での復旧が可能な端末機器３の復旧を行う。また、「操作を中止する」スイッチＳ７が操作されると、かんたん復旧の処理を中止して、警報画面Ｗ１０２に画面遷移させる。
【００６１】
そして、各端末機器３について復旧操作が終了し、作動中の全ての端末機器３から正常信号を受信した場合、終了確認画面Ｗ１０８が表示される。ここで、防災受信機１０は、この終了確認画面Ｗ１０８を表示すると共に、自機の状態を火災警報状態から正常監視状態にリセットする。
【００６２】
図９は、終了確認画面Ｗ１０８の一例を示す図である。図９に示すように、終了確認画面Ｗ１０８には、作業者に対するメッセージ及びスイッチＳ１３が表示される。具体的に、「正常監視状態に戻りました。終了確認ボタンを押してください。」といったメッセージと、「終了確認」の機能が割り当てられたスイッチＳ１３が表示される。そして、スイッチＳ１３が操作されると、終了確認画面Ｗ１０８が非表示され、つまり、かんたん復旧処理が終了され、表示画面を消灯する。
【００６３】
なお、図３に示す警報画面Ｗ１０２において、主画面１０２ａで端末機器３に関する情報が選択され、「対応ガイド」スイッチＳ２が操作された場合、火災発生時の操作手順を示す火災ガイダンス画面Ｗ１０９が表示される。図１０は、火災ガイダンス画面Ｗ１０９の一例を示す図である。図１０に示すように、主画面１０９ａには、警報画面Ｗ１０２の主画面１０２ａと略同様の情報が表示され、一の端末機器３に関する情報が選択された状態が表示されている。
【００６４】
サブ画面１０９ｂには、作業者に対するメッセージ及び各種スイッチが表示される。具体的に、「火災の可能性があります。次の作業を行ってください。」とのメッセージ、作業手順（例えば、「１．現場の確認」→「２．１１９番通報」→「３．火災放送の実施」→「４．避難誘導」→「５．火災情報の整理（消防隊に報告します。）」）、スイッチＳ１４，Ｓ１６が表示される。スイッチＳ１６には、「非火災の時」の機能が割り当てられ、スイッチＳ１４には、「ウィンドウ消去」の機能が割り当てられている。
【００６５】
ここで、「非火災の時」スイッチＳ１６が操作されると、火災ガイダンス画面Ｗ１０９から、非火災ガイダンス画面Ｗ１１０に画面遷移される。また、「ウィンドウ消去」スイッチＳ１４が操作されると、サブ画面１０９ｂが非表示されて、警報画面Ｗ１０２に画面遷移される。
【００６６】
火災ガイダンス画面Ｗ１０９において、「非火災の時」スイッチＳ１６が操作された場合の画面遷移について説明する。図１１は、非火災ガイダンス画面Ｗ１１０の一例を示す図である。図１１に示すように、主画面１１０ａには、火災ガイダンス画面１０９と略同様の情報が表示される。また、サブ画面１１０ｂには、作業者に対するメッセージ及び各種スイッチが表示される。具体的には、サブ画面１１０ｂの上段に、「非火災の時  「かんたん復旧」か手動操作で、復旧を行います。」とのメッセージが表示される。
【００６７】
また、サブ画面１１０ｂの中段には、スイッチＳ４、スイッチＳ１５が表示される。スイッチＳ４には、「かんたん復旧」の機能が割り当てられ、スイッチＳ１５には、「手動での復旧操作」の機能が割り当てられている。「かんたん復旧」スイッチＳ４が操作されると、図４に示す復旧中画面Ｗ１０３が表示される。また、「手動での復旧操作」スイッチＳ１５はいわゆる従来の復旧スイッチに該当するものであり、「手動での復旧操作」スイッチＳ１５が操作されると、防災受信機１０は、作動中の端末機器３のうち所定の端末機器３への復旧信号の送信及び自機の正常監視状態へのリセットを行う。更に、サブ画面１１０ｂの下段には、スイッチＳ１４が表示され、スイッチＳ１４には、「ウィンドウ消去」の機能が割り当てられている。「ウィンドウ消去」スイッチＳ１４が操作されると、サブ画面１１０ｂが非表示されて、警報画面Ｗ１０２に画面遷移される。
【００６８】
３．処理の流れ
次に、本実施の形態における防災受信機１０の動作について説明する。図１２は、防災受信機１０のＣＰＵ１１により実行される復旧処理を示すフローチャートであり、「かんたん復旧」に関する処理の要部を示したフローチャートである。
【００６９】
図１２に示すように、ＣＰＵ１１は、端末機器３などから発報信号を受信したか否かを判断し（ステップＳＴ２）、発報信号を受信した場合（ステップＳＴ２；ＹＥＳ）、正常監視状態から火災警報状態に状態遷移させ、発報信号に連動して作動するように予め定められた端末機器３や所定の機構を作動させる連動機器、例えば、地区ベル３ｃ、防災受信機１０の音出力部１８、各種連動機能等に制御信号を送信してこれらの端末装置３等を作動させる（ステップＳＴ４）。更に、ＣＰＵ１１は、表示部３０に警報画面Ｗ１０２（図３参照）を表示させる（ステップＳＴ６）。
【００７０】
続いて、ＣＰＵ１１は、警報画面Ｗ１０２において、「かんたん復旧」スイッチＳ４が操作されたか否かを判別する（ステップＳＴ８）。ここで、「かんたん復旧」スイッチＳ４が操作されず、他のスイッチが操作された場合（ステップＳＴ８；ＮＯ）、操作されたスイッチに対応する他の処理へ移行する。一方、「かんたん復旧」スイッチＳ４が操作された場合（ステップＳＴ８；ＹＥＳ）、ＣＰＵ１１は、発報信号を送信した端末機器３と、発報信号に連動して作動された端末機器３等に復旧信号を送信して、これら自動復旧端末の復旧を行う（ステップＳＴ１０）。
【００７１】
そして、ＣＰＵ１１は、表示部３０に復旧中画面Ｗ１０３（図４参照）を表示させて、タイマ回路１１ａにより復旧中画面Ｗ１０３の表示から所定時間が経過したか否かを判別する（ステップＳＴ１４）。所定時間が経過した場合（ステップＳＴ１４；ＹＥＳ）、ＣＰＵ１１は、表示部３０に現場復旧端末画面Ｗ１０４（図５参照）を表示させる（ステップＳＴ１６）。
【００７２】
次いで、現場復旧端末画面Ｗ１０４の主画面１０４ａにおいて、一の現場復旧端末が選択され、端末の戻し方スイッチＳ８が操作されたか否かを判別する（ステップＳＴ１６）。端末の戻し方スイッチＳ８が操作された場合（ステップＳＴ１６；ＹＥＳ）、ＣＰＵ１１は、選択された現場復旧端末の復旧手順がサブ画面１０５ｂに表示された復旧手順画面Ｗ１０５（図６参照）を表示部３０に表示させる（ステップＳＴ２０）。
【００７３】
更に、復旧手順画面Ｗ１０５の主画面１０５ａにおいて、他の現場復旧端末が選択され、ほかの端末スイッチＳ１０が操作された場合（ステップＳＴ２２；ＹＥＳ）、ＣＰＵ１１は、ステップＳＴ２０に移行して、選択された現場復旧端末の復旧手順を示した復旧手順画面Ｗ１０６（図７参照）を表示させる。
【００７４】
そして、ＣＰＵ１１は、現場復旧端末から正常信号を受信したか否かを判別し（ステップＳＴ２４）、現場での復旧操作により復旧した現場復旧端末から正常信号を受信した場合（ステップＳＴ２４；ＹＥＳ）、作動中の遠隔操作端末が存在するか否かを判別する（ステップＳＴ２６）。ここで、作動中の遠隔操作端末が存在しない場合（ステップＳＴ２６；ＮＯ）、ＣＰＵ１１は、ステップＳＴ３４に移行する。一方、作動中の遠隔操作端末が存在する場合（ステップＳＴ２６；ＹＥＳ）、ＣＰＵ１１は、遠隔操作端末を一覧表示した遠隔操作端末画面Ｗ１０７（図８参照）を表示部３０に表示させる。
【００７５】
ＣＰＵ１１は、遠隔操作端末画面Ｗ１０７において、端末を元に戻すスイッチＳ１２が操作されたか否かを判別し（ステップＳＴ３０）、端末を元に戻すスイッチＳ１２が操作された場合（ステップＳＴ３０；ＹＥＳ）、ＣＰＵ１１は、遠隔操作端末に復旧信号を送信して、遠隔操作端末を復旧させる（ステップＳＴ３２）。
【００７６】
そして、ＣＰＵ１１は、接続された全ての端末機器３から正常信号（正常監視状態時に防災受信機が受信する信号）を受信したか否かを判別し、正常信号を受信したことを確認すると火災警報状態から正常監視状態に状態をリセットし、正常監視状態確認画面Ｗ１０８（図９参照）を表示部３０に表示させる（ステップＳＴ３４）。さらに、正常監視状態確認画面Ｗ１０８において、終了確認スイッチＳ１３が操作されたか否かを判別し（ステップＳＴ３６）、終了確認スイッチＳ１３が操作された場合（ステップＳＴ３６；ＹＥＳ）、ＣＰＵ１１は、表示部３０の画面を消灯して（ステップＳＴ３８）、本復旧処理を終了する。
【００７７】
４．作用・効果
以上のように、本実施の形態の防災受信機１０は、発報信号に連動して所定の機構を作動させる連動機器や火災感知器等の端末機器と通信接続され、発報信号を受信した場合に正常監視状態から火災警報状態に遷移して火災警報を行い、前記端末機器のうち作動中の端末機器の状態及び火災が発生したか否かを確認させるガイダンスを表示部３０に表示する防災受信機１０において、作動中の端末機器３及び自機を、所定の順序に従って復旧させるためのかんたん復旧スイッチＳ４を設け、火災警報状態時にかんたん復旧スイッチＳ４が操作された場合に、作動中の端末機器３のうち、現場での復旧作業を要せず遠隔での復旧が可能として予め設定された自動復旧端末に復旧信号を送信して復旧させるとともに、現場復旧端末を含む作動していた全ての端末機器３から正常信号を受信して作動中の端末機器３がなくなったときに自機の状態を正常監視状態にリセットさせる。
【００７８】
従って、発報信号が受信され正常監視状態から火災警報状態に遷移して火災警報が行われた場合に、表示部３０に表示されたかんたん復旧スイッチＳ４を操作するだけで、作動中の所定の端末機器３に復旧信号を送信させて、これらの端末機器３を一括して復旧させることができる。また、現場での復旧作業を要する端末機器３を含む作動していた全ての端末機器３から正常信号を受信して作動中の端末機器３が無くなったときに、自機の状態を正常監視状態にリセットさせるため、作動中の端末機器３から作動中であることを示す信号が送信されることにより、防災受信機１０が再度火災警報状態に遷移してしまうことを防ぐことができる。
【００７９】
つまり、発報信号に連動して作動した端末機器３を個々に復旧させる場合、防災受信機１０を正常監視状態にリセットした後に、作動中の端末機器３から作動中であることを示す信号が防災受信機に送信されると、再度防災受信機１０が火災警報状態に遷移してしまうという問題があった。また、従来の復旧スイッチにより所定の端末機器３を一括的に復旧操作をした場合であっても、現場復旧端末等が作動中であれば、再度防災受信機１０が火災警報状態に遷移してしまっていた。このように、防災受信機１０を確実に正常監視状態にリセットするためには、作動中の全ての端末機器３を先に復旧させた後に防災受信機１０を正常監視状態にリセットする必要があるなど、復旧順序を考慮する必要があった。
【００８０】
しかし、本実施の形態の防災受信機１０においては、作動していた全ての端末機器３から正常信号を受信して作動中の端末機器３が無くなったことを確認した後に、防災受信機１０の状態を正常監視状態にリセットすることにより、作動中の端末機器３から作動中であることを示す信号が入力されることなく、確実に防災受信機１０を正常監視状態にリセットすることができる。これにより、かんたん復旧スイッチＳ４を操作するだけで、確実に復旧処理を行うことができる。また、予め設定された複数の端末機器３については１度のタッチ操作で同時に復旧させることができるため、作業工程を簡略化することができる。これにより、復旧操作に不慣れな作業者であっても、容易かつ迅速に復旧処理を行うことができる。
【００８１】
また、かんたん復旧スイッチＳ４を、火災感知器３ａ等から発報信号を受信するまでは操作不可能状態で、発報信号を受信した後は操作可能状態にて表示部３０に表示させることにより、作業者は感覚的にかんたん復旧スイッチＳ４を利用した復旧処理を行えるか否かを把握することができ、容易に復旧処理を行うことができる。
【００８２】
また、防災受信機１０に接続される端末機器３には、復旧信号による遠隔での復旧が可能な自動復旧端末及び遠隔操作端末と、遠隔での復旧が不可能であって現場における復旧処理が必要な現場復旧端末とが有り、防災受信機１０は、作動中の現場復旧端末を現場で復旧させるための当該端末の操作図を表示部３０に表示する。これにより、表示部３０を閲覧することにより、現場における現場復旧端末の復旧手順を容易に把握することができ、復旧操作に不慣れな作業者であっても、容易に現場復旧端末を復旧させることができる。
【００８３】
更に、防災受信機１０は、かんたん復旧スイッチＳ４の操作により自動復旧端末に復旧信号が送信されて復旧された後、作動中の現場復旧端末を表示部３０に一覧表示する。これにより、作業者は、現場における復旧操作が必要となる作動中の端末機器３を容易に把握して、的確に復旧処理を行うことができる。
【００８４】
また、防災受信機１０は、作動中の現場復旧端末に対する現場での復旧操作により復旧した現場復旧端末から正常信号を受信した場合に、表示されていた現場復旧端末を非表示させることにより、復旧が完了したことを報知する。従って、作業者は、防災受信機１０の表示部３０を閲覧することにより、各現場復旧端末の復旧を容易に確認することができる。更に、作動中であった端末機器３の復旧を完了し、作動中であった全ての端末機器３から正常信号を受信した場合に、復旧完了の旨を表示部３０に表示することにより、全ての端末機器３について復旧処理が完了したことを的確に把握することができる。
【００８５】
また、防災受信機１０は、かんたん復旧スイッチＳ４が操作されることにより、自動復旧端末の復旧が行われた後、動作中の遠隔操作端末が存在する場合に、遠隔操作端末及び遠隔操作端末を復旧するための端末を元に戻すスイッチＳ１２を表示部３０に表示させ、端末を元に戻すスイッチＳ１２が操作された場合に、遠隔操作端末に復旧信号を送信して、該遠隔操作端末を復旧させる。
【００８６】
これにより、かんたん復旧スイッチＳ４の操作に応じて復旧されない遠隔操作端末があることを容易に把握することができると共に、発報信号を出力した端末機器３と同時に一括的に復旧される端末機器３と、発報信号を出力した端末機器３を復旧させた後に復旧される端末機器３とを区別して復旧させることにより、端末機器３の機能や種別等に応じて選択的な復旧処理を行うことができる。
【００８７】
更に、遠隔操作端末が複数ある場合、予め複数の遠隔操作端末が選択された状態を表示部３０に表示させ、端末を元に戻すスイッチＳ１２が操作された場合、複数の遠隔操作端末を一括して復旧させることができるため、作業工程を簡略化して迅速に復旧処理を行うことができる。
【００８８】
５．変形例
以上、本発明についての好適な実施形態について説明したが、本発明は、上記したものに限らず、発明の趣旨を逸脱しない限りにおいて適宜変更可能である。例えば、本実施の形態において、かんたん復旧スイッチＳ４の操作により復旧される端末機器３は、地区ベル３ｃ、防災受信機１０の音出力部１８、感知器３ａ等である場合について説明したが、上述した例に限らず、他の端末機器３、例えば、遠隔での復旧が可能な発信機３ａ、防排煙設備機器３ｃ等が含まれていても良い。また、防災受信機１０のＲＯＭ１３に、かんたん復旧スイッチＳ４が操作された場合に復旧信号を送信すべき端末機器３を自動復旧端末データとして書き換え可能に記憶させておくことにより、任意の端末機器３の一括的な復旧を行うことができる。これにより、作業者の利用態様に応じた、汎用性の高い防災受信機１０を提供することができる。
【００８９】
また、本実施の形態においては、現場復旧端末の現場で復旧操作により、正常信号を受信した場合、現場復旧端末画面Ｗ１０４において、対応する現場復旧端末を順次消去する場合について説明を行ったがこれに限らず、各現場復旧端末毎に復旧が完了した旨のメッセ−ジを表示部３０に表示させる構成であってもよい。これにより、種々の表示形態により、現場復旧端末の復旧を確認することができる。
【００９０】
また、本実施の形態においては、現場復旧端末の復旧が行われた後、作動中の遠隔操作端末がある場合には、遠隔操作端末を一覧表示させ、端末を元に戻すスイッチＳ１２が操作された場合に、全ての遠隔操作端末に復旧信号を送信して、復旧させる場合について説明を行ったが、例えば、遠隔操作端末の復旧を行った後に、現場復旧端末画面Ｗ１０６を表示させて、現場復旧端末を復旧させる構成であっても良く、任意に順番を入れ替え可能な構成であっても良い。これにより、作業手順を臨機応変に変更させて、効率良く復旧操作を行うことができる。
【００９１】
また、作動中の遠隔操作端末が複数ある場合に、端末を元に戻すスイッチＳ１２が操作されると、複数の遠隔操作端末を一括して復旧させる場合について説明を行ったが、遠隔操作端末画面Ｗ１０７の主画面１０７ａにおいて、各遠隔操作端末をそれぞれ選択させて、個々に復旧を行う構成であっても良い。これにより、個々の遠隔操作端末の作動状況等を把握しながら復旧操作を行うことができる。
【００９２】
その他、本実施の形態における防災受信機１０の細部構成、及び詳細動作に関しては、本発明の趣旨を逸脱しない範囲で適宜変更可能である。
【図面の簡単な説明】
【００９３】
【図１】（ａ）本実施の形態における防災システム１の構成を示すブロック図である（ｂ）防災受信機１０の構成を示すブロック図である。
【図２】初期画面の一例を示す図である。
【図３】警報画面の一例を示す図である。
【図４】復旧中画面の一例を示す図である。
【図５】現場復旧端末画面の一例を示す図である。
【図６】復旧手順画面の一例を示す図である。
【図７】復旧手順画面の一例を示す図である。
【図８】遠隔操作端末画面の一例を示す図である。
【図９】終了確認画面の一例を示す図である。
【図１０】火災ガイダンス画面の一例を示す図である。
【図１１】非火災ガイダンス画面の一例を示す図である。
【図１２】復旧処理を示すフローチャートである。
【図１３】従来の非火災時のガイダンス画面を示す図である。
【符号の説明】
【００９４】
１                  防災システム
２                中継器
３                端末機器
４                火災表示装置
１０              防災受信機
１１            ＣＰＵ
１２            ＲＯＭ
１３            ＲＡＭ
１４ａ〜ｇ      Ｉ／Ｆ
１５            操作部
１６            表示灯
１７            印字部
１８            音出力部
３０            表示部
【図１】
2006155291.tif 000003
【図２】
2006155291.tif 000004
【図３】
2006155291.tif 000005
【図４】
2006155291.tif 000006
【図５】
2006155291.tif 000007
【図６】
2006155291.tif 000008
【図７】
2006155291.tif 000009
【図８】
2006155291.tif 000010
【図９】
2006155291.tif 000011
【図１０】
2006155291.tif 000012
【図１１】
2006155291.tif 000013
【図１２】
2006155291.tif 000014
【図１３】
2006155291.tif 000015